(57)【要約】【課題】第１のフィールドに記録されている表示に用いるデータが検索できない場合においても、第２のフィールドの検索キーを用いて検索を実行することができる。【解決手段】作成されるファイルにおいて、表示装置に表示される情報を記録するフィールドには、表示装置に表示される１バイトコードの文字コードが記録されている。そして、表示装置には表示されないが本ファイルの情報を検索するときは当該検索の対象とできるコメントフィールドなどに、検索のための検索キーとなる２バイトコードの文字コードを記録する（ステップＳ２）。１バイトコードの文字コードは、２バイトコードの文字コードが１バイトコードに展開されたものである。【選択図】        図３
2004341659.tif 000002
【特許請求の範囲】
【請求項１】
情報を記録したファイルを作成するファイル作成装置において、
前記ファイルの記録情報で、表示装置に表示される情報が記録される第１のフィールドとは別の表示装置には表示されないが前記ファイルの情報を検索するときは当該検索となる第２のフィールドに、前記検索のための検索キーが記録する検索キー記録手段を備えていること、を特徴とするファイル作成装置。
【請求項２】
前記検索キー記録手段は、前記検索キーである２バイトコードの文字列を前記第２のフィールドに記録すること、を特徴とする請求項１に記載のファイル作成装置。
【請求項３】
前記検索キー記録手段は、前記２バイトコードの文字列として形態素解析によって区切られたものを用いていること、を特徴とする請求項２に記載のファイル作成装置。
【請求項４】
前記検索キー記録手段は、前記２バイトコードの文字列として当該２バイトコードの文字列を展開して前記第１のフィールドに記録された情報である１バイトコードの文字列となるものを記録すること、を特徴とする請求項２又は３に記載のファイル作成装置。
【請求項５】
前記検索キー記録手段は、前記２バイトコードの文字列として１６進数のコードを記録すること、を特徴とする請求項２〜４のいずれかの一に記載のファイル作成装置。
【請求項６】
文書画像の文字認識を行う文字認識手段をさらに備え、
前記検索キー記録手段は、この文字認識後の文字コードを前記第１のフィールドに記録すること、
を特徴とする請求項１〜５のいずれかの一に記載のファイル作成装置。
【請求項７】
前記文書画像を前記ファイルに保持する文書画像保持手段をさらに備えていること、を特徴とする請求項６に記載のファイル作成装置。
【請求項８】
前記文字認識後の文字コードの文字を前記文書画像の文字位置に重ねて表示するための位置座標を前記ファイルに保持する位置座標記録手段をさらに備えていること、を特徴とする請求項７に記載のファイル作成装置。
【請求項９】
前記検索キー記録手段は、前記文字認識後の文字コードにユーザに視認できない透明フォントを指定して前記第１のフィールドに記録すること、を特徴とする請求項６〜８のいずれかの一に記載のファイル作成装置。
【請求項１０】
情報を記録したファイルを作成するファイル作成方法において、
前記ファイルの記録情報で、表示装置に表示される情報が記録される第１のフィールドとは別の表示装置には表示されないが前記ファイルの情報を検索するときは当該検索となる第２のフィールドに、前記検索のための検索キーが記録する検索キー記録工程を備えていること、を特徴とするファイル作成方法。
【請求項１１】
前記検索キー記録工程は、バイナリーコードを書く前に前記検索キーを前記第２のフィールドに記録すること、を特徴とする請求項１０に記載のファイル作成方法。
【請求項１２】
情報を記録したファイルにおいて、
表示装置に表示される情報が記録される第１のフィールドには表示装置に表示される情報が記録され、表示装置には表示されないが本ファイルの情報を検索するときは当該検索の対象となる第２のフィールドに前記検索のための検索キーが記録されていること、を特徴とするファイル。
【請求項１３】
情報を記録したファイルを検索する情報検索装置において、
前記ファイルの記録情報で、表示装置に表示される情報が記録される第１のフィールドとは別の表示装置には表示されないが本ファイルの情報を検索するときは当該検索となる第２のフィールドに記録されている前記検索のための検索キーを前記検索の対象とする検索手段を備えていること、を特徴とする情報検索装置。
【請求項１４】
情報を記録したファイルの作成をコンピュータに実行させるコンピュータに読み取り可能なプログラムにおいて、
前記ファイルの記録情報で、表示装置に表示される情報が記録される第１のフィールドとは別の表示装置には表示されないが本ファイルの情報を検索するときは当該検索となる第２のフィールドに、前記検索のための検索キーが記録する検索キー記録処理をコンピュータに実行させること、を特徴とするプログラム。
【請求項１５】
プログラムを記憶している記憶媒体において、
請求項１４に記載のプログラムを記憶していること、を特徴とする記憶媒体。
【発明の詳細な説明】
【０００１】
【発明の属する技術分野】
この発明は、ファイル作成装置、ファイル作成方法、ファイル、情報検索装置、プログラム及び記憶媒体に関する。
【０００２】
【従来の技術】
コンピュータの内部データを１バイトコード（１６進数など）で扱うという技術が、特許文献１，２に開示されている。
【０００３】
【特許文献１】
特許第３００４９６３号公報
【特許文献２】
特開平５−３４２４０１号公報
【０００４】
【発明が解決しようとする課題】
しかし、前記従来技術のように内部データを１バイトデータで扱うことにより、日本語のように２バイトコードを基準とする場合、２バイトコードでそのデータを検索することが出来ないという不具合がある。
【０００５】
本発明の目的は、第１のフィールドに記録されている表示に用いるデータが検索できない場合においても、第２のフィールドの検索キーを用いて検索を実行することができるファイルを提供することである。
【０００６】
【課題を解決するための手段】
請求項１に記載の発明は、情報を記録したファイルを作成するファイル作成装置において、前記ファイルの記録情報で、表示装置に表示される情報が記録される第１のフィールドとは別の表示装置には表示されないが前記ファイルの情報を検索するときは当該検索となる第２のフィールドに、前記検索のための検索キーが記録する検索キー記録手段を備えていること、を特徴とするファイル作成装置である。
【０００７】
したがって、作成後のファイルは、第１のフィールドに記録しているデータを検索できない場合においても、第２のフィールドの検索キーを用いて検索を実行することができる。
【０００８】
請求項２に記載の発明は、請求項１に記載のファイル作成装置において、前記検索キー記録手段は、前記検索キーである２バイトコードの文字列を前記第２のフィールドに記録すること、を特徴とする。
【０００９】
したがって、第２のフィールドの２バイトコードの文字列の検索キーを用いてファイルの検索を実行することができるので、日本語のように２バイトコードを基準とする場合にも対応することができる。
【００１０】
請求項３に記載の発明は、請求項２に記載のファイル作成装置において、前記検索キー記録手段は、前記２バイトコードの文字列として形態素解析によって区切られたものを用いていること、を特徴とする。
【００１１】
したがって、２バイトコードの文字列を検索しやすくすることができる。
【００１２】
請求項４に記載の発明は、請求項２又は３に記載のファイル作成装置において、前記検索キー記録手段は、前記２バイトコードの文字列として当該２バイトコードの文字列を展開して前記第１のフィールドに記録された情報である１バイトコードの文字列となるものを記録すること、を特徴とする。
【００１３】
したがって、第１のフィールドに記録された１バイトコードの文字列に展開できる２バイトコードの文字列によりファイルの検索を行うことができるので、２バイトコードの文字列により、同じ文字列を構成する１バイトコードの文字列を検索することができる。
【００１４】
請求項５に記載の発明は、請求項２〜４のいずれかの一に記載のファイル作成装置において、前記検索キー記録手段は、前記２バイトコードの文字列として１６進数のコードを記録すること、を特徴とする。
【００１５】
したがって、一般的に扱いやすい１６進数のコードで２バイトコードの文字列を記述することができる。
【００１６】
請求項６に記載の発明は、請求項１〜５のいずれかの一に記載のファイル作成装置において、文書画像の文字認識を行う文字認識手段をさらに備え、前記検索キー記録手段は、この文字認識後の文字コードを前記第１のフィールドに記録すること、を特徴とする。
【００１７】
したがって、文字画像と作成したファイルを関連付けておけば、ファイルを検索し、そこから文書画像を検索することができる。
【００１８】
請求項７に記載の発明は、請求項６に記載のファイル作成装置において、前記文書画像を前記ファイルに保持する文書画像保持手段をさらに備えていること、を特徴とする。
【００１９】
したがって、ファイルを検索し、そこからファイルに保持されている文書画像を検索することができる。
【００２０】
請求項８に記載の発明は、請求項７に記載のファイル作成装置において、前記文字認識後の文字コードの文字を前記文書画像の文字位置に重ねて表示するための位置座標を前記ファイルに保持する位置座標記録手段をさらに備えていること、を特徴とする。
【００２１】
したがって、文字コードの文字を文書画像の文字位置に重ねて表示することができる。
【００２２】
請求項９に記載の発明は、請求項６〜８のいずれかの一に記載のファイル作成装置において、前記検索キー記録手段は、前記文字認識後の文字コードにユーザに視認できない透明フォントを指定して前記第１のフィールドに記録すること、を特徴とする。
【００２３】
したがって、表示装置に表示するときは文字画像のみがあるかのように見えるが、１バイトコードの文字列などでファイルの検索を行うことができる。
【００２４】
請求項１０に記載の発明は、情報を記録したファイルを作成するファイル作成方法において、前記ファイルの記録情報で、表示装置に表示される情報が記録される第１のフィールドとは別の表示装置には表示されないが前記ファイルの情報を検索するときは当該検索となる第２のフィールドに、前記検索のための検索キーが記録する検索キー記録工程を備えていること、を特徴とするファイル作成方法である。
【００２５】
したがって、作成後のファイルは、第１のフィールドに記録しているデータを検索できない場合においても、第２のフィールドの検索キーを用いて検索を実行することができる。
【００２６】
請求項１１に記載の発明は、請求項１０に記載のファイル作成方法において、前記検索キー記録手段は、バイナリーコードの前に前記検索キーを前記第２のフィールドに記録すること、を特徴とする。
【００２７】
したがって、ファイルの検索を行う際にバイナリーコードでエラーが発生することを防止することができる。
【００２８】
請求項１２に記載の発明は、情報を記録したファイルにおいて、表示装置に表示される第１のフィールドには表示装置に表示される情報が記録され、表示装置には表示されないが本ファイルの情報を検索するときは当該検索となる第２のフィールドに前記検索のための検索キーが記録されていること、を特徴とするファイルである。
【００２９】
したがって、作成後のファイルは、第１のフィールドに記録しているデータを検索できない場合においても、第２のフィールドの検索キーを用いて検索を実行することができる。
【００３０】
請求項１３に記載の発明は、情報を記録したファイルを検索する情報検索装置において、前記ファイルの記録情報で、表示装置に表示される情報が記録される第１のフィールドとは別の表示装置には表示されないが本ファイルの情報を検索するときは当該検索の対象となる第２のフィールドに記録されている前記検索のための検索キーを前記検索の対象とする検索手段を備えていること、を特徴とする情報検索装置である。
【００３１】
したがって、作成後のファイルは、第１のフィールドに記録しているデータを検索できない場合においても、第２のフィールドの検索キーを用いて検索を実行することができる。
【００３２】
請求項１４に記載の発明は、情報を記録したファイルの作成をコンピュータに実行させるコンピュータに読み取り可能なプログラムにおいて、前記ファイルの記録情報で、表示装置に表示される情報が記録される第１のフィールドとは別の表示装置には表示されないが本ファイルの情報を検索するときは当該検索となる第２のフィールドに、前記検索のための検索キーが記録する検索キー記録処理をコンピュータに実行させること、を特徴とするプログラムである。
【００３３】
したがって、作成後のファイルは、第１のフィールドに記録しているデータを検索できない場合においても、第２のフィールドの検索キーを用いて検索を実行することができる。
【００３４】
請求項１５に記載の発明は、プログラムを記憶している記憶媒体において、請求項１４に記載のプログラムを記憶していること、を特徴とする記憶媒体である。
【００３５】
したがって、記憶してきるプログラムにより、作成後のファイルは、第１のフィールドに記録しているデータを検索できない場合においても、第２のフィールドの検索キーを用いて検索を実行することができる。
【００３６】
【発明の実施の形態】
本発明の一実施の形態について説明する。
【００３７】
図１は、本実施の形態の情報検索システム１の電気的な接続のブロック図である。図１に示すように、情報検索システム１は、各種演算を行ない、情報検索システム１の各部を集中的に制御するＣＰＵ１１と、各種のＲＯＭ、ＲＡＭからなるメモリ１２とが、バス１３で接続されている。
【００３８】
バス１３には、所定のインターフェースを介して、ハードディスクなどの磁気記憶装置１４と、キーボード、マウスなどの入力装置１５と、表示装置１６と、光ディスクなどの記憶媒体１７を読み取る記憶媒体読取装置１８とが接続され、また、ネットワーク２と通信を行なう所定の通信インターフェース１９が接続されている。なお、記憶媒体１７としては、ＣＤ，ＤＶＤなどの光ディスク、光磁気ディスク、フレキシブルディスクなどの各種メディアを用いることができる。また、記憶媒体読取装置１８は、具体的には記憶媒体１７の種類に応じて光ディスク装置、光磁気ディスク装置、フレキシブルディスク装置などが用いられる。
【００３９】
情報検索システム１は、この発明の記憶媒体を実施する記憶媒体１７から、この発明のプログラムを実施するプログラム２０を読み取って、磁気記憶装置１４にインストールする。これらのプログラムはインターネットなどのネットワーク２等を介してダウンロードしてインストールするようにしてもよい。このインストールにより、情報検索システム１は、後述の所定の処理の実行が可能な状態となる。なお、プログラム２０は、所定のＯＳ上で動作するものであってもよい。
【００４０】
図２は、情報検索システム１の機能ブロック図である。この情報検索システム１は、プログラム２０に基づいて実現する機能の機能ブロック図である。情報検索システム１は、特定の形式のファイルを作成するファイル作成装置となる情報ファイル作成部２１と、これらのファイルの検索を行う情報検索装置となる情報検索部２２と、情報ファイル作成部２１で作成するファイルなどを表示装置１６に表示する情報表示部２３と、文書画像の文字認識を行う文字認識部２４とを備えている。
【００４１】
次に、情報ファイル作成部２１が実行する情報ファイルの作成の処理について説明する。
【００４２】
この例では、情報ファイルとして、ＰＤＦファイルを例にして説明する。ＰＤＦファイルは、アクロバットと呼ばれる編集ソフトで作成され、アクロバットリーダーと呼ばれる情報表示ソフトで表示装置に表示して閲覧することができる。また、ＰＤＦファイルなどの電子ファイルは、例えば、ウインドウズ（マイクロソフト社の登録商標である）などでは、インターネットエクスプローラーなどの画像管理、検索装置によってファイル検索を行なうことができる。このファイル検索は、ファイル名の他に、ファイルの内容に関しても検索が一般的に可能となっている。
【００４３】
しかし、ＰＤＦファイルの場合、アクロバットリーダーの制限、ＰＤＦファイルの仕様により、２バイトコードは１バイトコードに展開して記述することとされている。例えば、「前」という２バイトコードの漢字は、「９１４Ｆ」というＳＪＩＳコードに展開され、「９１４Ｆ」という１バイトコード４文字でＰＤＦファイル内では記述されている。そして、これをアクロバットリーダーで読み込むと、「前」という２バイトコードの漢字に変換し、表示装置に表示することができる。
【００４４】
ここで、ＰＤＦファイル内には「前」という２バイトコードの漢字は記述されていないため、ＰＤＦファイル内の内容を検索する場合、例えば、「前」という文字を含む漢字を検索したいときには「９１４Ｆ」というＳＪＩＳコードをユーザが調べて入力を行う必要があった。
【００４５】
そこで、情報検索システム１は、アクロバットリーダーでは表示装置に表示されない、いわゆるコメントフィールドに、検索キー（検索文字列）となる２バイトコードの漢字を書き込むことによって（この例では「前」という２バイトコードの漢字）、アクロバットリーダーには悪影響を与えないが、検索の際に前述のような特別な配慮を行う必要なく検索したい２バイトコードを含むＰＤＦファイルを探し出すことが可能となる。
【００４６】
そこで、プログラム２０は、図３のような処理を行う。すなわち、前述のＰＤＦファイルなどの特定のフォーマットのファイルを対象に、このファイルに含まれ表示装置に表示される文字の、例えば、１バイトコードの文字コードが記録されるフィールド（第１のフィールド）を参照して（ステップＳ１）、その１バイトコードの文字コードの文字と同じ文字の２バイトコードの文字コードを、コメントであると判断されて表示装置には表示されないコメントフィールドなどのフィールド（第２のフィールド）に記録する（検索キー記録手段、検索キー記録工程）（ステップＳ２）。かかる処理は、当該ファイルのすべての文字にステップＳ１，Ｓ２の処理を行ったときは（ステップＳ３のＹ）、一連の処理を終了し、処理の終わっていない文字が残っているときは（ステップＳ３のＮ）、ステップＳ１に戻る。
【００４７】
なお、図３の処理では、すでに表示装置に表示される１バイトコードの文字コードを入力済みであるファイルを対象として、各文字のコメントフィールドなどに２バイトコードの文字コードを記録するようにしているが、最初にファイルを作成する際に、１バイトコードの文字コードを所定のフィールドに記録するのと並行して、その文字の２バイトコードの文字コードもコメントフィールドなどに記録するようにしてもよい。
【００４８】
次に、情報検索部２２が実行する処理について説明する。情報検索部２２が図示しないデータベースなどに蓄積されているファイル群の全文検索を行う場合は、その検索対象となるファイルが前述のＰＤＡファイルなどの特定の形式のファイルであったときは（ステップＳ１１のＹ）、このファイルの各文字のコメントフィールドなど（第２のフィールド）に記録されている２バイトコードの文字コードなどを検索キー（検索文字列）として（ステップＳ１２）、当該ファイルを検索する（検索手段）（ステップＳ１３）。検索対象のファイルが他にあるときは（ステップＳ１４のＹ）、ステップＳ１１に戻り、ないときは（ステップＳ１４のＮ）、一連の処理を終了する。
【００４９】
以下では、ＰＤＦファイルの例により、情報検索システム１が実行する処理内容をさらに具体的に説明する。以下の例は、ＰＤＦファイルをテキストエディタで開く例である。以下の具体例１では、ＰＤＦファイルにおいて、日本語のような２バイトコードは、＜８ｃ５２＞というようにＳＪＩＳコードを展開して書かれている。このＰＤＦファイルで、コメント行を示す“％”の後に文字を記録することができる。これにより、コメント行の文字を表示装置１６に表示させないようにすることができる。
【００５０】
そこで、前述の「前」という漢字を例にとると、従来方式では＜９１４ｆ＞のみ記載されていたところへ、さらに“％前”という行を追加することで、情報検索部２２でファイルの中身を検索するときに、「前」を含むファイルとして検索結果に挙げることができる。
【００５１】
＜具体例１＞
2004341659.tif 000003
なお、コメント行には、前述のように２バイトコードの文字列を書き込むことで、２バイトコードが検索可能となる。もちろん、１バイトコードを書き込んでも構わないし、２バイトコードと１バイトコードを混在して書き込んでも構わない。
【００５２】
また、コメント行には、形態素解析により、意味のある文字列（単語）に区切って書くようにすることができる。これは、例えば、「本日は晴天なり」という文字列をコメント行に書く場合、ＰＤＦファイルでは前述の通り“％”の後に文字コードを書くことでコメント行になる。
【００５３】
この場合、
“％本日は
％晴天なり”
と書けば、検索キーが「本日」や「晴天」でも検索可能であるが、
“％本
％日
％は
％晴
％天
％な
％り”
と１文字ずつ書いたのでは、「本日」という検索キーでは検索することが出来なくなる。
【００５４】
さらに、ＰＤＦファイルの場合、いわゆるワープロソフトやテキストエディタで読み書きができるテキスト部分と、バイナリーコードを混在して持つことができる。そして、バイナリーコードの後にテキストを書くと、検索をファイルの先頭から行う場合、バイナリーコード部分で思わぬエラーなどが発生し、ファイルの最後まで検索できないことがある。そこで、バイナリーコードが書かれる前に、検索対象のテキストを書き込むことにより、検索漏れを防ぐことが可能となる。
【００５５】
展開する１バイトコードは、２進数、１０進数などでももちろんよいが、一般的に扱いやすい１６進数で記述することにより、１６進数でも検索可能となり、またコンピュータで扱いやすくなる。
【００５６】
作成されるＰＤＦファイルの入力データとして、文書画像ファイルを与え、その文書画像を文字認識部２４によって文字認識処理を行い（文字認識手段）、その結果の文字コードを検索可能な（コメント）フィールドに書き込み、文書画像とそのＰＤＦファイルを関連付けて保持するようにすれば、ＰＤＦファイルを検索し、そこから文書画像を検索することが可能となる。
【００５７】
ＰＤＦファイルの場合、画像ファイル、テキストファイルを合わせて保持することが可能となっている。そこで、検索のための２バイトコードと、表示のための元画像と、２バイトコードを展開した１バイトコードを保持するようにすることで、画像を表示することも可能となり、さらに検索を行うことも可能となる。
【００５８】
また、画像ファイルに文字認識装置で認識した結果の文字コードを合わせて保持し（文書画像保持手段）、重ね合わせて表示するようにすれば、文字の検索位置の画像を視覚的に確認することが可能となる。
【００５９】
情報表示ソフトであるアクロバットリーダーでは、１バイトコードは２バイトコードに展開して表示する。ここでアクロバットリーダーのテキスト検索を用いると、１バイトコードのみのファイルの検索可能となる。しかし、前述の２バイトの検索用のコードを持っていないと、検索ソフト（Ｗｉｎｄｏｗｓのエクスプローラーなど）でＰＤＦファイルを探し出すことができないために、探し出したいファイルにたどり着くことができない。
【００６０】
さらに、探したい２バイト文字コードを含むファイルを情報ファイル作成部２１で作成し、さらに、文字認識結果の文字を、その位置座標とともに保存しておくことで（位置座標記録手段）、検索ソフト（Ｗｉｎｄｏｗｓのエクスプローラーなど）でファイルを探し出した後、アクロバットリーダーで画像、１バイトコードを展開した文字コードを表示し、ここで情報表示ソフトの機能でテキスト検索を行うと、展開された１バイトコードがハイライト表示され、あわせて、該当部分の画像を確認することが可能となる。
【００６１】
この場合に、文字認識結果の１バイトコードは、ユーザに視認できない透明フォントを指定しておけば、ユーザがアクロバットリーダーでＰＤＦファイルを表示したときには、画像ファイルのみがあるかのように見えるが、アクロバットリーダーでテキスト検索を行うと、１バイトコードが展開された文字を検索することができ、該当部分がハイライト表示されるので、あたかも画像ファイルを検索しているような操作性が得られる。
【００６２】
なお、情報検索システム１を、インターネット、ＬＡＮ、公衆回線などを介して外部からアクセス可能なサーバ装置として実施することができる。この場合、ユーザは画像データをサーバ装置に送ると、サーバ装置の情報ファイル作成部２１でＰＤＦファイルを作成することができる。そして、作成されたファイルは、サーバ装置のデータベースに蓄積し、必要に応じて、通信、印刷などを行ったり、ＰＤＦファイルが作成されると直ちにユーザに送り返したり、指定した宛先に送信して印刷を行うことなどができる。
【００６３】
【発明の効果】
請求項１，１０，１２〜１５に記載の発明は、作成後のファイルは、第１のフィールドに記録しているデータを検索できない場合においても、第２のフィールドの検索キーを用いて検索を実行することができる。
【００６４】
請求項２に記載の発明は、請求項１に記載の発明において、第２のフィールドの２バイトコードの文字列の検索キーを用いてファイルの検索を実行することができるので、日本語のように２バイトコードを基準とする場合にも対応することができる。
【００６５】
請求項３に記載の発明は、請求項２に記載の発明において、２バイトコードの文字列を検索しやすくすることができる。
【００６６】
請求項４に記載の発明は、請求項２又は３に記載の発明において、第１のフィールドに記録された１バイトコードの文字列に展開できる２バイトコードの文字列によりファイルの検索を行うことができるので、２バイトコードの文字列により、同じ文字列を構成する１バイトコードの文字列を検索することができる。
【００６７】
請求項５に記載の発明は、請求項２〜４のいずれかの一に記載の発明において、一般的に扱いやすい１６進数のコードで２バイトコードの文字列を記述することができる。
【００６８】
請求項６に記載の発明は、請求項１〜５のいずれかの一に記載の発明において、文字画像と作成したファイルを関連付けておけば、ファイルを検索し、そこから文書画像を検索することができる。
【００６９】
請求項７に記載の発明は、請求項６に記載の発明において、ファイルを検索し、そこからファイルに保持されている文書画像を検索することができる。
【００７０】
請求項８に記載の発明は、請求項７に記載の発明において、文字コードの文字を文書画像の文字位置に重ねて表示することができる。
【００７１】
請求項９に記載の発明は、請求項６〜８のいずれかの一に記載の発明において、表示装置に表示するときは文字画像のみがあるかのように見えるが、１バイトコードの文字列などでファイルの検索を行うことができる。
【００７２】
請求項１１に記載の発明は、請求項１０に記載の発明において、ファイルの検索を行う際にバイナリーコードでエラーが発生することを防止することができる。
【図面の簡単な説明】
【図１】本発明の一実施の形態である情報検索システムの電気的な接続のブロック図である。
【図２】情報検索システムの機能ブロック図である。
【図３】情報検索システムが実行する情報ファイルの作成の処理のフローチャートである。
【図４】情報検索システムが実行する情報ファイルの検索の処理のフローチャートである。
【符号の説明】
１７      記憶媒体
２０      プログラム
２１      ファイル作成装置
２２      情報検索装置
【図１】
2004341659.tif 000004
【図２】
2004341659.tif 000005
【図３】
2004341659.tif 000006
【図４】
2004341659.tif 000007